(57)【要約】  映像信号に基づいて表示画面の平均輝度を算出する平均輝度算出器（１７）と、画素部に設けられた発光素子を駆動する駆動トランジスタの駆動電圧を算出された平均輝度に応じて調整する発光素子駆動電圧源（１６）と、を有している。
2009141914.tif 000002
【特許請求の範囲】
【請求項１】
各々が発光素子及び前記発光素子を駆動する駆動トランジスタを有する複数の画素部からなるアクティブマトリクス型の表示パネルと、前記表示パネルの各走査線を順次走査する走査駆動部と、前記走査駆動部による走査に応じて映像信号に基づくデータ信号を前記駆動トランジスタの制御電極に供給するデータ駆動部と、を有する表示装置であって、
前記複数の画素部の各々に設けられ、第１の端子が前記駆動トランジスタの前記制御電極に接続されるとともに前記データ信号を保持するキャパシタと、
前記キャパシタの第２の端子に印加するキャパシタ電圧を生成するキャパシタ電圧生成部と、
前記映像信号に基づいて表示画面の平均輝度を算出する平均輝度算出器と、
前記平均輝度に応じて前記駆動トランジスタの駆動電圧を調整する駆動電圧調整器と、を有することを特徴とする表示装置。
【請求項２】
前記駆動電圧調整器は、前記平均輝度の低減に応じて前記表示画面の白色輝度が増加するように前記駆動電圧を調整することを特徴とする請求項１に記載の表示装置。
【請求項３】
前記表示パネルは、マトリクス状に配置された走査線及びドライブ線の交差位置の各々に赤、緑及び青色のうちいずれか１種類の発光素子が前記走査線及びドライブ線間に接続されたカラー発光パネルであり、前記駆動電圧調整器は前記発光素子の駆動電圧を発光色ごとに調整することを特徴とする請求項１又は２に記載の表示装置。
【請求項４】
前記データ駆動部は前記データ信号に応じた電流を前記キャパシタに供給する電流源からなることを特徴とする請求項１ないし３のいずれか１項に記載の表示装置。
【請求項５】
前記平均輝度の低減に応じて前記映像信号における黒レベルを増加して前記データ信号を生成する黒レベル調整器を有することを特徴とする請求項１に記載の表示装置。
【発明の詳細な説明】
【技術分野】
【０００１】
本発明は、ＥＬ（Electroluminescent）素子やＬＥＤ（発光ダイオード）などの発光素子を駆動するための能動素子を含む表示装置に関し、特に、薄膜トランジスタ（ＴＦＴ；thin film transistor）を能動素子として含む表示装置に関する。
【背景技術】
【０００２】
ＴＦＴは、有機ＥＬディスプレイや液晶ディスプレイといったアクティブマトリクス型ディスプレイを駆動するための能動素子として広く使用されている。図１は、有機ＥＬ（Organic Electroluminescent）素子（ＯＥＬ）又は有機発光ダイオード（ＯＬＥＤ）１００の駆動回路の等価回路の一例を、一つの画素ＰＬi,jについて示している。【０００３】
図１を参照すると、この等価回路は、能動素子である２つのｐチャンネルＴＦＴ１０１，１０２と、キャパシタ（Ｃs）１０４とを含む。走査線Ｗsは選択トランジスタ１０１のゲートに接続され、データ線Ｗdは選択トランジスタ１０１のソースに接続され、一定の電源電圧Ｖddを供給する電源線Ｗzは駆動トランジスタ１０２のソースに接続されている。選択トランジスタ１０１のドレインは駆動トランジスタ１０２のゲートに接続されており、駆動トランジスタ１０２のゲートとソース間にキャパシタ１０４が形成されている。ＯＥＬ１００のアノードは駆動トランジスタ１０２のドレインに、そのカソードはアース電位（又は共通電位）にそれぞれ接続されている。【０００４】
走査線Ｗsに選択パルスが印加されると、スイッチとしての選択トランジスタ１０１がオンになりソースとドレイン間が導通する。このとき、データ線Ｗdから、選択トランジスタ１０１のソースとドレイン間を介してデータ電圧が供給され、キャパシタ１０４に蓄積される。このキャパシタ１０４に蓄積されたデータ電圧が駆動トランジスタ１０２のゲートとソース間に印加されるので、駆動トランジスタ１０２のゲート・ソース間電圧Ｖgsに応じたドレイン電流Ｉｄが流れ、ＯＥＬ１００に供給されてＯＥＬ１００は発光する。【０００５】
かかるアクティブマトリクス型ディスプレイにおいて、各走査線に順次選択パルス（走査パルス）を印加しつつ、入力映像データに応じたデータ信号をデータ線を介して各画素ＰＬi,jに供給することによって画像表示がなされる。【０００６】
このようなアクティブマトリクス型ディスプレイにおいては、例えば、特許文献１には、画面全面が明るい映像に対して白色輝度を低く抑えるピーク輝度特性をもたせることが開示されている。すなわち、画面輝度に応じてディスプレイ装置への電源配線における入力端電位及び末端電位間の電位差が異なることを利用して、当該電位差（すなわち、画像輝度）に応じて駆動トランジスタのゲートに接続されたデータ保持用コンデンサの他端の電位を制御することにより上記したピーク輝度特性を持たせていることが開示されている。【０００７】
このように、アクティブマトリクス型ディスプレイにおいては、省エネルギ、発熱抑制、装置の薄型化等の観点から消費電力の低減が極めて重要な性能の一つとなってきており、低消費電力のディスプレイ装置の実現が強く望まれている。
【特許文献１】特開２００６−１８９５５２号公報（第１９頁、図１，図２）
【発明の開示】
【発明が解決しようとする課題】
【０００８】
本発明が解決しようとする課題には、上記した従来技術の欠点が一例として挙げられる。本発明の目的は、画面全面が明るい映像に対して白色輝度を低く抑えるピーク輝度特性をもたせた、低消費電力のディスプレイ装置を提供することにある。
【課題を解決するための手段】
【０００９】
本発明の表示装置は、各々が発光素子及び前記発光素子を駆動する駆動トランジスタを有する複数の画素部からなるアクティブマトリクス型の表示パネルと、表示パネルの各走査線を順次走査する走査駆動部と、走査駆動部による走査に応じて映像信号に基づくデータ信号を駆動トランジスタの制御電極に供給するデータ駆動部と、を有する表示装置であって、上記複数の画素部の各々に設けられ、第１の端子が駆動トランジスタの制御電極に接続されるとともにデータ信号を保持するキャパシタと、キャパシタの第２の端子に印加するキャパシタ電圧を生成するキャパシタ電圧生成部と、映像信号に基づいて表示画面の平均輝度を算出する平均輝度算出器と、上記平均輝度に応じて駆動トランジスタの駆動電圧を調整する駆動電圧調整器と、を有している。
【図面の簡単な説明】
【００１０】
【図１】従来の発光素子駆動回路の等価回路の一例を示す図である。
【図２】本発明の実施例１であるアクティブマトリクス表示パネルを用いた表示装置を示す図である。
【図３】複数の画素部ＰＬ1,1〜ＰＬm,nのうち、データ線Ｘｉ及び走査線Ｙｊに関連する画素部ＰＬj,iを示す図である。
【図４】算出されたＡＰＬ値に対する駆動トランジスタの駆動電圧ＶＤの関係を模式的に示すグラフである。
【図５】ＥＬ素子の順方向電圧（Ｖf）及びドレイン・ソース電圧Ｖdsを示す図である。
【図６】本発明の実施例２であるアクティブマトリクス表示パネルを用いた表示装置を示す図である。
【図７】本発明の実施例３である表示パネルの画素部ＰＬj,iiを示す図である。
【図８】図７におけるスイッチＳＷ１〜ＳＷ３のＯＮ／ＯＦＦ状態を示す図である。
【図９】本発明の実施例４である表示パネルの画素部ＰＬj,iiを示す図である。
【図１０】ＡＰＬ値に対する駆動トランジスタの駆動電圧ＶＤの関係を示す図である。
【図１１】本発明の実施例５である、黒レベル調整回路を有する表示パネルを示す図である。
【図１２】ＡＰＬ値に対する黒レベル電圧ＢＬの関係を示図である。
【発明を実施するための最良の形態】
【００１１】
以下、本発明の実施例を図面を参照しつつ詳細に説明する。尚、以下に説明する図において、実質的に同等な部分には同一の参照符を付している。
【実施例１】
【００１２】
図２は本発明の実施例１であるアクティブマトリクス表示パネルを用いた表示装置１０を示している。この表示装置１０は、表示パネル１１、走査ドライバ１２、データドライバ１３、キャパシタ電圧源（ＰＣ）１４、コントローラ１５、発光素子駆動電圧源（ＰＳ）１６、及び平均輝度算出器（以下、ＡＰＬ算出器ともいう。）１７を備えている。【００１３】
表示パネル１１は、ｎ行ｍ列（ｍ，ｎは２以上の整数）の画素からなるアクティブマトリクス型の表示パネルであり、各々が平行に配置された複数のデータ線Ｘ１〜Ｘｍ（Ｘｉ：ｉ＝１〜ｍ）と、複数の走査線Ｙ１〜Ｙｎ（Ｙｊ：ｊ＝１〜ｎ）と、複数の画素部ＰＬ1,1〜ＰＬn,mを有している。画素部ＰＬ1,1〜ＰＬn,mは、データ線Ｘ１〜Ｘｍと走査線Ｙ１〜Ｙｎとの交差部分に配置され、全て同一の構成を有する。【００１４】
また、後に詳述するように、画素部（画素回路）ＰＬ1,1〜ＰＬm,nは発光素子駆動電圧ライン（以下、単に、駆動電圧ラインという）Ｚ及びキャパシタ電圧ラインＷに接続されている。【００１５】
なお、本実施例においては、表示パネル１１がモノクロームの表示パネルであって、上記した各画素部はそれぞれが１画素を構成する場合を例に説明する。【００１６】
図３は、表示パネル１１の複数の画素部（画素回路）ＰＬ1,1〜ＰＬm,nのうち、データ線Ｘｉ（ｉ＝１，２，．．，ｍ）及び走査線Ｙｊ（ｊ＝１，２，．．，ｎ）に関連する画素部ＰＬj,iについて示している。すなわち、画素部ＰＬj,iはデータ線Ｘｉ及び走査線Ｙｊに接続されている。より具体的には、それぞれ選択トランジスタ（Ｔｒ１）及び駆動トランジスタ（Ｔｒ２）であるＴＦＴ（薄膜トランジスタ）２１，２２と、データ保持用キャパシタＣｓ２４と、有機ＥＬ（エレクトロルミネッセンス）発光素子（ＯＥＬ）２５とが備えられている。選択トランジスタ２１、駆動トランジスタ２２及びキャパシタ２４は発光素子（ＥＬ素子）２５の駆動回路を構成している。なお、以下においては、２つのＴＦＴ２１，２２がＰチャネルＴＦＴの場合を例に説明する。【００１７】
選択トランジスタ（Ｔｒ１）２１のゲートは走査線Ｙｊに接続され、そのソースはデータ線Ｘｉに接続されている。選択トランジスタ２１のドレインには駆動トランジスタ（Ｔｒ２）２２の制御電極（ゲート）が接続されている。駆動トランジスタ（ＴＲ２）２２のソースは駆動電圧ラインＺに接続され、駆動電圧源（ＰＳ）１６から駆動電圧ＶＤ（可変電圧）が供給される。駆動トランジスタ（ＴＲ２）２２のドレインはＥＬ素子２５のアノードに接続されている。ＥＬ素子２５のカソードは複数の画素部（画素回路）ＰＬ1,1〜ＰＬm,nに共通の電位Ｖcom、例えば、接地電位（Ｖcom＝０）に接続されている。【００１８】
本実施例において、キャパシタ（Ｃｓ）２４の一端（第１の端子；電極Ｅ１）は駆動トランジスタ２２の制御電極であるゲート（及び選択トランジスタ２１のドレイン）に接続され、他端（第２の端子；電極Ｅ２）はキャパシタ電圧ラインＷを介してキャパシタ電圧源（ＰＣ）１４に接続されている。そして、各走査線Ｙｊに関連するキャパシタ（Ｃｓ）２４には、キャパシタ電圧ラインＷを介してキャパシタ電圧源（ＰＣ）１４から、キャパシタ電圧Ｖcap（固定電圧）が印加されるように接続されている。【００１９】
表示パネル１１の走査線Ｙ１〜Ｙｎは走査ドライバ１２に接続され、またデータ線Ｘ１〜Ｘｍはデータドライバ１３に接続されている。コントローラ１５は、入力される映像信号に応じて表示パネル１１を階調駆動制御するための走査制御信号ＳＣ及びデータ制御信号ＤＤを生成する。走査制御信号は走査ドライバ１２に供給され、データ制御信号はデータドライバ１３に供給される。【００２０】
走査ドライバ１２は、コントローラ１５から送出された走査制御信号に応じて表示用走査パルスを所定のタイミングで走査線Ｙ１〜Ｙｎに供給し、線順次走査がなされる。【００２１】
データドライバ１３は、コントローラ１５から送出されたデータ制御信号に応じて走査パルスが供給される走査線上に位置する画素部の各々に対する画素データ信号をデータ線Ｘ１〜Ｘｍを介して画素部（選択画素部）に供給する。非発光の画素部に対してはＥＬ素子を発光させることがないレベルの画素データ信号を供給する。すなわち、当該線順次走査に対応して画素ごとの発光輝度を示すデータ信号がデータ線Ｘ１〜Ｘｍを介して印加され、表示パネル１１の画像表示制御がなされる。【００２２】
コントローラ１５は表示装置１０全体の制御、すなわち走査ドライバ１２、データドライバ１３、キャパシタ電圧源（ＰＣ）１４、発光素子駆動電圧源（ＰＳ）１６、及びＡＰＬ算出器１７の制御を行う。【００２３】
次に、画素部ＰＬj,iの回路の動作について説明する。【００２４】
第ｊ走査線Ｙｊに走査パルスＳＰが印加され、当該走査線Ｙｊが選択されると、選択トランジスタ２１が導通（ターンオン）し、データドライバ１３からの当該画素ＰＬj,iの輝度に応じたデータ信号ＤＰ（データ電圧Ｖdata）が選択トランジスタ２１を介してキャパシタ電圧２２のゲート（第１の端子：電極Ｅ１）に供給される。そして、データ電圧Ｖdataはデータ保持用キャパシタＣｓ２４に蓄積され、当該電圧が保持される。【００２５】
一方、キャパシタ２４の第２の端子（電極Ｅ２）にはキャパシタ電圧ラインＷを介してキャパシタ電圧Ｖcap（固定電圧）が印加されている。従って、線順次走査によって当該選択トランジスタ２１がターンオフしても駆動トランジスタ２２のゲート電位はＶdataに固定される。【００２６】
上記したように、駆動トランジスタ２２のソースには可変電圧ＶＤが印加されておりドレインには有機ＥＬ素子２５のアノードが接続されている。またＥＬ素子２５のカソードには共通電極Ｖcomが接続されている。従って、このとき、駆動トランジスタ２２に流れる電流Ｉｄは、ＶＤ−Ｖdataに比例した電流となり、ＥＬ素子２５はデータ信号電圧ＤＰ及び駆動トランジスタ２２のソース電圧ＶＤに応じた輝度で発光する。【００２７】
次に、映像データの画面全体の明るさに応じてピーク輝度（白色輝度）を調整する動作について説明する。【００２８】
平均輝度算出器（ＡＰＬ算出器）１７は、入力された映像データ（表示データ）から画面の平均輝度、すなわち、画面全体の明るさであるＡＰＬ（Average Picture Level）を算出する。当該平均輝度（ＡＰＬ）の算出方法としては、入力映像データがデジタルデータである場合には、当該データを加算して平均をとってもよいし、入力映像データがアナログ信号である場合には、積分によって算出してもよい。そして、算出されたＡＰＬは、駆動電圧源（ＰＳ）１６に供給される。【００２９】
図４は、算出されたＡＰＬ値に対する駆動トランジスタ２２の駆動電圧ＶＤ、すなわち、本実施例においては駆動電圧（ソース電圧）ＶＤの関係を模式的に示すグラフである。駆動電圧源（ＰＳ）１６は、算出ＡＰＬ値に応じて、駆動トランジスタ２２の駆動電圧（ソース電圧）ＶＤを調整する。すなわち、駆動電圧源（ＰＳ）１６は、駆動電圧調整器として機能する。そして、駆動電圧源（ＰＳ）１６は、画面全体が暗い場合、すなわちＡＰＬが小である場合にはＶＤを大きくなるように、画面全体が明るくＡＰＬが大である場合にはＶＤが小さくなるように可変電圧であるＶＤを調整する。【００３０】
すなわち、上記したように、駆動トランジスタ２２にはＶＤ−Ｖdataに比例した電流（駆動電流Ｉｄ）が流れるため、かかる駆動電圧ＶＤの調整によって、画面全体が明るい映像を表示する時は白色輝度を低く、背景が暗い映像ほど白色輝度が高くなるピーク輝度特性を持たせることができる。【００３１】
次に、映像データの画面全体の明るさ（ＡＰＬ）に応じて駆動電圧ＶＤを調整することにより上記したピーク輝度特性を付与し、当該ピーク輝度特性とともに駆動トランジスタ２２で消費される電力を低減することができることについて図面を参照しつつ具体的に説明する。【００３２】
有機ＥＬ素子２５等のＥＬ素子は、よく知られているようにダイオード特性を呈する。すなわち、発光輝度が高い（駆動電流が大きい）ほど順方向電圧（Ｖf）が高くなる（図５参照）。従来の構成においては、駆動トランジスタの駆動電圧（ソース電圧）は固定であるため、最も高いピーク輝度にあわせて当該駆動電圧を設定するようにしていた。かかる従来の場合では、画面全体が明るい映像を表示するときは白色輝度を低くするため、ＥＬ素子の順方向電圧（Ｖf）が低くなる一方、駆動トランジスタ２２の駆動電圧（ソース電圧）は一定であるため、駆動トランジスタ２２のドレイン・ソース電圧Ｖdsで消費される電力が大きくなってしまう。【００３３】
しかしながら、前述のように、本実施例においては、駆動トランジスタ２２の駆動電圧（ソース電圧）ＶＤがＡＰＬに応じて調整される。すなわち、画面全体が明るい映像を表示するとき、すなわち、ＡＰＬが大きな場合には、駆動電圧ＶＤが低減され、駆動トランジスタ２２のドレイン・ソース電圧Ｖdsに応じて消費される電力を低く抑えることができる。
【実施例２】
【００３４】
図６は本発明の実施例２であるアクティブマトリクス表示パネルを用いた表示装置１０を示している。この表示装置１０においては、表示パネル１１はカラー有機ＥＬパネルとして構成されている。【００３５】
より具体的には、赤、緑、青（Ｒ，Ｇ，Ｂ）の３つの画素部が行方向に順次繰り返して配列されている。すなわち、赤、緑、青（Ｒ，Ｇ，Ｂ）の３つの画素部によって１画素が構成され、当該画素が行方向に配列されている。より詳細には、表示パネル１１の第ｊ行には、画素（ＰＲj,1，ＰＧj,1，ＰＢj,1），（ＰＲj,2，ＰＧj,2，ＰＢj,2），．．．，（ＰＲj,m，ＰＧj,m，ＰＢj,m）が順次配列されている。【００３６】
赤、緑、青（Ｒ，Ｇ，Ｂ）の各画素部の回路構成は、それぞれ赤、緑、青（Ｒ，Ｇ，Ｂ）で発光するＥＬ素子２５が用いられている点を除いて、上記した実施例１（図３参照）と同様である。【００３７】
そして、各行の赤色の画素部ＰＲj,k（ｋ＝１〜ｎ）は共通の接続線ＺＲに接続され、緑色の画素部ＰＧj,k（ｋ＝１〜ｎ）は共通の接続線ＺＧに接続され、青色の画素部ＰＢj,kは共通の接続線ＺＢに接続されている。より詳細には、接続線ＺＲ，ＺＧ，ＺＢは、各画素部の駆動トランジスタ（ＴＲ２）２２のソースに接続されている。これら接続線（発光素子駆動電圧ライン）ＺＲ，ＺＧ，ＺＢには、発光素子駆動電圧源（ＰＳ）１６からそれぞれ駆動電圧ＶＤ(R)，ＶＤ(G)，ＶＤ(B)が供給される。なお、発光素子駆動電圧源（ＰＳ）１６が各色毎の個別の可変電圧源ＰＳ１６(R)，ＰＳ１６(G)，ＰＳ１６(B)から構成されていてもよいのはもちろんである。【００３８】
本実施例においては、発光素子駆動電圧源（ＰＳ）１６は、映像データの画面全体の明るさ（ＡＰＬ）に応じて駆動電圧ＶＤ(R)，ＶＤ(G)，ＶＤ(B)のそれぞれを調整する。すなわち、発光色ごとに順方向電圧が異なる場合にも、駆動トランジスタで消費される電力を低減できる。また、発光色ごとにＥＬ素子の順方向電圧が異なる場合、駆動トランジスタの駆動電圧を発光色ごとに調整することにより、必要最低限の電源電圧で駆動できるため消費電力の低減効果がより大きい。
【実施例３】
【００３９】
以下に、電流プログラム方式を用いた場合の実施例について説明する。  図７は本発明の実施例３である表示パネル１１の複数の画素部のうち、データ線Ｘｉ（ｉ＝１，２，．．，ｍ）及び走査線Ｙｊ（ｊ＝１，２，．．，ｎ）に接続された画素部ＰＬj,iについて示している。なお、本実施例においては、表示パネル１１がモノクロームの表示パネルであって、上記した各画素部はそれぞれが１画素を構成する場合を例に説明する。【００４０】
ここで、表示装置１０の構成は、後述するように、データドライバ１３及び画素部ＰＬj,iの回路構成が電流プログラム方式に適応した構成を有している点を除いて、実施例１における構成（図２）と同様である。【００４１】
表示パネル１１は、図７に示すように、電流プログラム方式に適応した回路構成を有している。より具体的には、画素部ＰＬj,iには、駆動トランジスタ（Ｔｒ２）２２及びキャパシタＣｓ２４、及び電流源３１、スイッチＳＷ１〜ＳＷ３が設けられている。なお、データドライバ１３は定電流源として構成され、画素部ＰＬj,iにはデータドライバのデータ線Ｘｉに対応する電流源３１からデータ電流Ｉdataが供給されるように構成されている。【００４２】
実施例１と同様に、駆動トランジスタ（Ｔｒ２）２２のソースはデータ線Ｘｉに接続され、キャパシタ（Ｃｓ）２４の第２の端子（電極Ｅ２）はキャパシタ電圧ラインＷに接続されている。つまり、キャパシタ（Ｃｓ）２４には、キャパシタ電圧ラインＷを介してキャパシタ電圧源１４から、キャパシタ電圧Ｖcap（固定電圧）が印加されている。なお、後に詳述するように、電流プログラム動作の書き込みモードの期間においては、トランジスタ（ＴＲ２）２２の駆動電圧（ソース電圧）ＶＤは一定（固定）電圧とされるが、当該固定電圧ＶＤはデータ保持用コンデンサの一端に印加されるキャパシタ電圧Ｖcapと同じ電圧でも良いし、異なっていても良い。【００４３】
図７は、４トランジスタ（４Ｔｒ）電流プログラム方式の画素回路構成の一例を示している。ここで、電流プログラム方式について以下に簡単に説明する。電流プログラム方式においては書き込みモードと発光モードが設定される。【００４４】
スイッチＳＷ１〜ＳＷ３は、走査ドライバ１２からの走査パルス信号及び／又はコントローラ１５からの制御信号に基づいて開閉する。より詳細には、キャパシタ（Ｃｓ）２４へのデータ書き込みモード、又は発光素子（ＯＥＬ）２５を発光させる発光モードに応じてそのＯＮ／ＯＦＦが制御される。【００４５】
図８は、スイッチＳＷ１〜ＳＷ３のＯＮ／ＯＦＦ状態を示している。まずデータ書き込みモードにおいて、第ｊ走査線Ｙｊを選択する走査制御信号に応答してスイッチＳＷ１及びＳＷ２が閉じられる（ＯＮ）とともにスイッチＳＷ３が開かれる（ＯＦＦ）。これにより、データラインＸｉにはデータ電流Ｉdataが供給され、データ書き込みが行われる。すなわち、データ電流Ｉdataの供給によってキャパシタ２４には電圧Ｖcap−Ｖdataに対応する電荷が蓄積され、当該電圧が保持される。なお、このとき、スイッチＳＷ３はＯＦＦなので発光素子（ＯＥＬ）２５は発光しない。【００４６】
次に発光モードに移行し、ＳＷ１及びＳＷ２が開かれ（ＯＦＦ）、ＳＷ３が閉じられる（ＯＮ）が、当該発光モード期間において駆動電圧（ソース電圧）は調整電圧値ＶＤに設定される。すなわち、駆動電圧源（ＰＳ）１６は、ＡＰＬ算出器１７により算出されたＡＰＬ値に応じた駆動電圧（ソース電圧）ＶＤを設定し、出力する。【００４７】
つまり、上記した実施例と同様に、画面全体が暗い場合、すなわちＡＰＬが小である場合にはＶＤを大きくなるように、画面全体が明るくＡＰＬが大である場合にはＶＤが小さくなるように可変電圧であるＶＤを調整する。【００４８】
すなわち、上記したように、駆動トランジスタ２２にはＶＤ−Ｖdataに比例した電流（駆動電流Ｉｄ）が流れるため、かかる駆動電圧ＶＤの調整によって、画面全体が明るい映像を表示する時は白色輝度を低く、背景が暗い映像ほど白色輝度が高くなるピーク輝度特性を持たせることができる。【００４９】
従って、上記した如く、電流プログラム方式の表示装置にも駆動電圧ＶＤの調整駆動の適用が可能であり、上記した実施例で説明した電圧書き込み型の表示装置の場合と同様なピーク輝度特性を持たせることができる。
【実施例４】
【００５０】
上記した実施例においては、選択トランジスタ（Ｔｒ１）２１及び駆動トランジスタ（Ｔｒ２）２２がＰチャネルＴＦＴの場合を例に説明したが、また、当該２つのいずれか一方又は両方がＮチャネルＴＦＴの場合であっても同様に、上記した駆動電圧ＶＤの調整駆動の適用が可能である。例えば、駆動トランジスタ（Ｔｒ２）２２がＮチャネルＴＦＴの場合であっても同様に適用が可能である。【００５１】
図９は、表示パネル１１の複数の画素部（画素回路）ＰＬ1,1〜ＰＬm,nのうち、データ線Ｘｉ（ｉ＝１，２，．．，ｍ）及び走査線Ｙｊ（ｊ＝１，２，．．，ｎ）に関連する画素部ＰＬj,iについて示している。すなわち、画素部ＰＬj,iはデータ線Ｘｉ及び走査線Ｙｊに接続されている。より具体的には、それぞれ選択トランジスタ（Ｔｒ１）及び駆動トランジスタ（Ｔｒ２）であるＴＦＴ（薄膜トランジスタ）２１，２２と、データ保持用キャパシタＣｓ２４と、有機ＥＬ（エレクトロルミネッセンス）発光素子（ＯＥＬ）２５とが備えられている。選択トランジスタ２１、駆動トランジスタ２２及びキャパシタ２４は発光素子（ＥＬ素子）２５の駆動回路を構成している。【００５２】
選択トランジスタ（Ｔｒ１）２１のゲートは走査線Ｙｊに接続され、そのソースはデータ線Ｘｉに接続されている。選択トランジスタ２１のドレインには駆動トランジスタ（Ｔｒ２）２２の制御電極（ゲート）が接続されている。駆動トランジスタ（Ｔｒ２）２２はＮチャネルＴＦＴであり、駆動トランジスタ（Ｔｒ２）２２のソースは駆動電圧ラインＺに接続され、駆動電圧源（ＰＳ）１６から駆動電圧ＶＤが供給される。駆動トランジスタ（ＴＲ２）２２のドレインはＥＬ素子２５のカソードに接続されている。ＥＬ素子２５のアノードは複数の画素部（画素回路）ＰＬ1,1〜ＰＬm,nに共通の電位Ｖcomに接続されている。【００５３】
本実施例において、キャパシタ（Ｃｓ）２４の一端（第１の端子；電極Ｅ１）は駆動トランジスタ２２の制御電極であるゲート（及び選択トランジスタ２１のドレイン）に接続され、他端（第２の端子；電極Ｅ２）はキャパシタ電圧ラインＷを介してキャパシタ電圧源（ＰＣ）１４に接続されている。そして、各走査線Ｙｊに関連するキャパシタ（Ｃｓ）２４には、キャパシタ電圧ラインＷを介してキャパシタ電圧源（ＰＣ）１４から、キャパシタ電圧Ｖcap（固定電圧）が印加されるように接続されている。【００５４】
本実施例においては、図１０に示すように、駆動トランジスタ２２の駆動電圧ＶＤがＡＰＬに応じて調整される。すなわち、画面全体が明るい映像を表示するとき、すなわち、ＡＰＬが大きな場合には、駆動電圧ＶＤが増加され、駆動トランジスタ２２のドレイン・ソース電圧Ｖdsに応じて消費される電力を低く抑えることができる。
【実施例５】
【００５５】
本実施例においては、図１１に示すように、表示パネル１１には黒レベル調整回路３１が設けられている。表示パネル１１の画素部ＰＬj,iの構成は実施例１（図３）と同様である。【００５６】
実施例１で説明したように、映像データの画面全体の明るさ（ＡＰＬ）に応じて駆動電圧ＶＤを調整するとともに、ＡＰＬに応じて映像データを変化させるとより効果的である。【００５７】
ＡＰＬ算出器により算出されたＡＰＬ値は黒レベル調整回路３１に供給される。黒レベル調整回路３１は、当該算出ＡＰＬ値に応じて、入力映像信号の黒レベルＢＬを調整し、調整データ制御信号ＤＤＡを生成する。調整データ制御信号ＤＤＡはデータドライバ１３に供給される。【００５８】
黒レベル調整回路３１は、入力映像データがアナログ信号である場合には、例えば、入力映像データを増幅するアンプ（図示しない）の増幅ゲインを調整して調整データ制御信号ＤＤＡを生成すればよい。また、入力映像データがデジタルデータである場合には、入力映像データに乗算値を乗算する乗算器（図示しない）のゲインを調整して調整データ制御信号ＤＤＡを生成すればよい。【００５９】
図１２は、ＡＰＬ値に対する黒レベル電圧ＢＬの関係を示している。画面全体が暗い場合、すなわちＡＰＬ値が小である場合にはＢＬを大きくなるように、画面全体が明るくＡＰＬが大である場合にはＶＤが小さくなるように黒レベル電圧ＢＬを調整する。かかる調整により、黒浮きを抑えつつピーク輝度処理を行なうことができる。
【図１】
2009141914.tif 000003
【図２】
2009141914.tif 000004
【図３】
2009141914.tif 000005
【図４】
2009141914.tif 000006
【図５】
2009141914.tif 000007
【図６】
2009141914.tif 000008
【図７】
2009141914.tif 000009
【図８】
2009141914.tif 000010
【図９】
2009141914.tif 000011
【図１０】
2009141914.tif 000012
【図１１】
2009141914.tif 000013
【図１２】
2009141914.tif 000014
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
各々が発光素子及び前記発光素子を駆動する駆動電圧が駆動電極に供給される駆動トランジスタを有する複数の画素部からなるアクティブマトリクス型の表示パネルと、前記表示パネルの各走査線を順次走査する走査駆動部と、前記走査駆動部による走査に応じて映像信号に基づくデータ信号を前記駆動トランジスタの制御電極に供給するデータ駆動部と、を有する表示装置であって、
前記複数の画素部の各々に設けられ、第１の端子が前記駆動トランジスタの前記制御電極に接続されるとともに前記データ信号を保持するキャパシタと、
前記キャパシタの第２の端子に印加するキャパシタ電圧を生成するキャパシタ電圧生成部と、
前記映像信号に基づいて表示画面の平均輝度を算出する平均輝度算出器と、
前記平均輝度に応じて前記発光素子を駆動する前記駆動電圧を調整する駆動電圧調整器と、を有することを特徴とする表示装置。
【請求項２】
前記駆動電圧調整器は、前記平均輝度の低減に応じて前記表示画面の白色輝度が増加するように前記駆動電圧を調整することを特徴とする請求項１に記載の表示装置。
【請求項３】
前記表示パネルは、マトリクス状に配置された走査線及びドライブ線の交差位置の各々に赤、緑及び青色のうちいずれか１種類の発光素子が前記走査線及びドライブ線間に接続されたカラー発光パネルであり、前記駆動電圧調整器は前記発光素子の駆動電圧を発光色ごとに調整することを特徴とする請求項１又は２に記載の表示装置。
【請求項４】
前記データ駆動部は前記データ信号に応じた電流を前記キャパシタに供給する電流源からなることを特徴とする請求項１ないし３のいずれか１項に記載の表示装置。
【請求項５】
前記平均輝度の低減に応じて前記映像信号における黒レベルを増加して前記データ信号を生成する黒レベル調整器を有することを特徴とする請求項１に記載の表示装置。
【請求項６】
前記キャパシタの前記第２の端子に印加される前記キャパシタ電圧は固定電圧であることを特徴とする請求項１に記載の表示装置。
【国際調査報告】
2009141914.tif 000015
2009141914.tif 000016
2009141914.tif 000017
2009141914.tif 000018
2009141914.tif 000019
2009141914.tif 000020